(57)【特許請求の範囲】
【請求項１】
電子機器の回路ブロックに対して駆動電圧を供給する主電源部と、
電子機器の所定の回路ブロック部に対して駆動電圧を供給する副電源部と、
上記電子機器の動作遷移時、上記主電源部と上記副電源部を、所要期間、ともに動作状態となるように制御する制御手段と、
を備え、
上記主電源部と上記副電源部とは、いずれもコンバータ方式の電源装置として形成され、
上記電子機器の所定の回路ブロック部は、マイコンとレベル検出部とを有して形成される上記制御手段を含み、
上記主電源部から上記制御手段に電力を供給可能とするとともに、上記副電源部から上記制御手段に電力を供給可能とするように形成され、
上記マイコンは、
上記レベル検出部で検出される上記主電源部で発生する電圧および上記副電源部で発生する電圧の大きさに基づいて、
上記主電源部の動作を制御するための第１の制御信号と上記副電源部の動作を制御するための第２の制御信号とを出力し、
上記電子機器の動作遷移時において、上記第１の制御信号および上記第２の制御信号によって、上記主電源部および上記副電源部を所要期間、ともに動作状態となるように制御することを特徴とする電子機器の電源装置。
【請求項２】
上記マイコンは、
スタンバイ状態から通常動作状態に上記電子機器の動作遷移をさせる情報を得て、
上記第１の制御信号によって上記主電源部の動作を開始させ、
上記レベル検出部で検出する上記主電源からの電圧が第１の所定電圧を越えた時点で、
上記第２の制御信号によって上記副電源部の動作を停止させることを特徴とする請求項１に記載の電子機器の電源装置。
【請求項３】
上記マイコンは、
通常動作状態からスタンバイ状態に上記電子機器の動作遷移をさせる情報を得て、
上記第２の制御信号によって上記副電源部の動作を開始させ、
上記レベル検出部で検出する上記副電源からの電圧が第２の所定電圧を越えるまで、
上記第１の制御信号によって上記主電源部を動作状態とすることを特徴とする請求項１に記載の電子機器の電源装置。
【発明の詳細な説明】
【０００１】
【発明の属する技術分野】
本発明は、例えば通常動作状態と待機動作状態を有する電子機器の電源装置に関するものである。
【０００２】
【従来の技術】
従来からテレビジョン受像機等の電子機器に備えられている電源装置は、通常動作時、電子機器の各回路ブロックに対して必要な電力を供給し、待機時（スタンバイ時）、例えばマイクロコンピュータ（以下、「マイコン」という）等の最小限の回路ブロックに対してのみ駆動電力を供給するように構成されているものがある。
【０００３】
このような電子機器の電源装置としては、従来から図６に示すような構成のものが知られている。
この図６に示す電源装置では、ＡＣコンセント１０１から供給される商用電源電圧がヒューズ１０２、主電源スイッチ１０３及びラインフィルタ１０４を介してブリッジ型に構成されている整流回路１０５に供給される。そして、その整流出力が平滑用のコンデンサＣで直流電圧に平坦化されて、スイッチングコンバータ１０６に入力される。
【０００４】
スイッチングコンバータ１０６は、例えばフライバック方式のスイッチコンバータとされ、図示していないが絶縁トランスやスイッチング素子及びスイッチング素子を制御する制御回路等を備えて構成される。
この場合、図示しない絶縁トランスの一次側巻線に流れる電流は、スイッチング素子によって断続制御される。そして、その断続された一次電流によって絶縁トランスの二次側巻線に交番電圧が誘起されて出力される。
【０００５】
スイッチングコンバータ１０６の出力は、ダイオード及び平滑コンデンサから成る整流平滑回路１０７ａ，１０７ｂ，１０７ｃにより整流・平滑されて、テレビジョン受像機の各回路ブロックに駆動電圧Ｖm1，Ｖm2，Ｖm3として供給される。
【０００６】
例えば整流平滑回路１０７ａ，１０７ｂの出力電圧Ｖm1，Ｖm2は、連動スイッチ１１０を介して、電子機器の主要な回路ブロック２０１に供給される。また、整流平滑回路１０７ｃの出力電圧Ｖm3が、例えばマイコン２０２ａを含むスタンバイ時も動作している回路ブロック（以下、本明細書では「スタンバイ回路ブロック」ともいうことがある）２０２に供給されている。
また、整流平滑回路１０７ａの出力電圧Ｖm1の一部は、アンプ１０８及びホトカプラ１０９を介してスイッチングコンバータ１０６の制御回路にフィードバックされる。これにより、スイッチングコンバータ１０６の出力が負荷に関わらず一定の電圧となるようにスイッチング素子のオン／オフ比がコントロールされる。
【０００７】
連動スイッチ１１０は、マイコン２０２ａによってオン／オフ制御される。
例えばテレビジョン受像機がスタンバイ状態の時は、そのスイッチがオフになり、テレビジョン受像機の主要な回路ブロック２０１に対して供給される駆動電圧Ｖm1，Ｖm2が遮断される。
従って、スタンバイ時は、スイッチングコンバータ１０６の出力は、整流平滑回路１０７ｃを介して、スタンバイ回路ブロック２０２に対してのみ駆動電圧Ｖm3が供給される。
【０００８】
しかしながら、上記図６に示した電源装置では、通常動作時又はスタンバイ時に関わらず、常にテレビジョン受像機の駆動に必要な駆動電圧を出力するスイッチングコンバータ１０６が動作状態となっている。このため、スタンバイ時の電力損失が大きいという欠点があった。
【０００９】
そこで、上記したような欠点を解消した電源装置として、図７に示すような電源装置が知られている。
なお、以降説明する電源装置では、上記図６に示した電源装置と同一部位には同一番号を付し、説明は省略する。
【００１０】
この図７に示す電源装置は、例えばテレビジョン受像機の主要な回路ブロック２０１に対して電力を供給するメイン電源部と、スタンバイ回路ブロック２０２に対して駆動電力を供給するスタンバイ電源部とを備えている。
【００１１】
メイン電源部は、例えば上記スイッチングコンバータ１０６と同様に、絶縁トランスやスイッチング素子、制御回路等を備えたフライバック方式のメインスイッチングコンバータ（以下、「メインコンバータ」という）１１１により構成される。そして、その出力が整流平滑回路１０７ａ，１０７ｂにより整流・平滑されて、主要な回路ブロック２０１に駆動電圧Ｖm1，Ｖm2として供給される。
なお、この場合も整流平滑回路１０７ａの出力の一部がアンプ１０８及びホトカプラ１０９を介して、スイッチングコンバータ１０６の制御回路にフィードバックされており、メインコンバータ１１１の出力が電子機器の負荷に関わらず一定の電圧となるようにコントロールされる。
【００１２】
一方、スタンバイ電源部は、商用トランス１１２により構成される。
商用トランス１１２の一次側には、ＡＣコンセント１０１からの商用電源電圧がラインフィルタ１０４を介して直接入力される。
そして、商用トランス１１２の一次側を流れる商用電流によって、二次側に誘起される誘起電圧が整流平滑回路１１３により平坦化されてスタンバイ回路ブロック２０２に駆動電圧Ｖｓとして供給されている。
【００１３】
リレー回路１１４は、リレーＲＹ、スイッチＳ及びスイッチング素子Ｑ1によって構成される。
スイッチＳはラインフィルタ１０４と整流回路１０５との間に設けられ、マイコン２０２ａによりスイッチング素子Ｑ1がオン／オフされることでリレーＲＹによってスイッチＳを開閉することができる。
例えばスタンバイ時は、マイコン２０２ａによってスイッチＳを開放するように制御され、メインコンバータ１１１への商用電源電圧の供給を遮断するようにしている。これにより、スタンバイ時は、メインコンバータ１１１から主要な回路ブロック２０１に対して供給される駆動電圧が停止され、消費電力の低減を図るようにしている。
【００１４】
しかしながら、上記図７に示した電源装置は、例えば入力される商用電源電圧が安定で、且つ、その電圧レベルがＡＣ１００Ｖと低い地域（例えば国内）においては、スタンバイ時の消費電力を効果的に抑制することができるが、ユニバーサル入力や広範囲の商用電源電圧に対応した地域、或いは商用電源電圧がＡＣ２００Ｖ〜ＡＣ４００Ｖと高い地域においては、商用トランス１１２の励磁電流成分がバイアスされて消費電力の増加を招く。このため、図７に示した電源装置によってスタンバイ時の消費電力の低減を図るには限界があった。
【００１５】
そこで、上記したような欠点のない電源装置としてスタンバイ電源部にコンバータを採用した電源装置が提案されている。
そのような電源回路の構成を図８及び図９に示す。
この図８に示す電源装置のスタンバイ電源部は、スタンバイ用の整流平滑回路１２１と、例えば一石式でＰＷＭ制御のフライバックコンバータ等からなるスタンバイコンバータ１２２と、整流平滑回路１１３によって構成される。
【００１６】
この場合、スタンバイ電源部では、ＡＣコンセント１０１からの商用電源電圧がスタンバイ用整流平滑回路１２１にて平坦化されて、スタンバイコンバータ１２２に入力される。
そして、スタンバイコンバータ１２２の出力が整流平滑回路１１３によって直流電圧に平坦化されてスタンバイ回路ブロック２０２に駆動電圧Ｖｓとして供給するようにしている。
【００１７】
このような電源装置では、通常動作時、マイコン２０２ａによりリレー回路１１４のスイッチＳを閉じるように制御することで、メインコンバータ１１１とスタンバイコンバータ１２２をともに動作状態となるようにする。
一方、スタンバイ時は、リレー回路１１４のスイッチＳを開放するように制御することで、メインコンバータ１１１への商用電源電圧の供給を遮断し、メインコンバータ１１１の動作を停止させることで回路ブロック２０１への駆動電圧Ｖm1，Ｖm2の供給を停止するようにしている。
【００１８】
また、図９に示す電源装置では、フォトカプラ１２３を介してマイコン２０２ａによりメインコンバータ１１１を制御することで、スタンバイ時はメインコンバータ１１１の動作を停止させ、回路ブロック２０１への駆動電圧Ｖm1，Ｖm2の供給を停止する。
【００１９】
つまり、上記図８、図９に示した電源装置では、通常動作時、メイン電源部とスタンバイ電源部を動作状態にし、スタンバイ時はメイン電源部の動作を停止させ、スタンバイ電源部だけを動作状態となるようにしている。
つまり、スタンバイ電源部はスタンバイ時と通常動作時の何れの場合も動作していることになる。
【００２０】
このような図８、図９に示したコンバータ方式の電源装置と、上記図７に示した商用トランス方式の電源装置とのスタンバイ時の消費電力を比較すると、図１０に示すように、商用トランス方式の電源装置は、入力電源電圧が大きくなるにしたがって消費電力が増加している。
これに対して、コンバータ方式の電源装置は、商用トランス方式に比べて消費電力が小さく、しかも入力電源電圧が大きくなった場合でも消費電力の増加を抑制することができるという利点がある。
【００２１】
【発明が解決しようとする課題】
ところが、上記図８及び図９に示したコンバータ方式の電源装置は、通常、スタンバイコンバータ１２２を安価に構成するため、そのスイッチング動作がハードスイッチング動作とされている。
このため、上記図８及び図９に示した電源装置を例えばテレビジョン受像機やビデオカメラ装置等の映像機器に適用した場合は、通常動作時、スタンバイコンバータ１２２で発生するノイズが画面ノイズとして現れるという欠点があった。
これは、スタンバイコンバータ１２２のスイッチング素子及び絶縁トランスを流れる電流ＩD及び電圧ＶDSが、図１１に示すように、スイッチング素子がターンオフする際に急峻に変動することによるものとされる。つまり、ターンオフ時の急峻な電圧・電流変化が、導電或いは輻射雑音等の不要ノイズを発生させ負荷となる電子機器の動作に影響を及ぼすことによるものである。
【００２２】
そこで、スタンバイコンバータ１２２で発生する不要ノイズを抑制するため、例えば抵抗とコンデンサ等からなるスナバ回路や、インダクタンス成分を追加してスイッチング素子を、いわゆるソフトスイッチング動作とすることが考えられる。
しかしながら、その場合は、回路の追加によるコストアップを招くばかりでなく、これらの追加回路が、通常動作時における電力損失や、スタンバイ時における電力損失をもたらすという欠点がある。
特に、通常動作時は、消費電力に占めるスタンバイコンバータ１２２の電力損失分は少ないものとされるが、スタンバイ時はこれら電力損失により生じる無効電力成分が無視できないものとなる。
【００２３】
また、スタンバイコンバータ１２２に複数の高周波スイッチングノイズが存在する場合は、スタンバイコンバータ１２２をソフトスイッチングコンバータとしても、そこから発生する高周波スイッチングノイズ成分によってメインコンバータ１１１の制御系に影響を及ぼすといったことも考えられる。
【００２４】
そこで、例えばテレビジョン受像機の通常動作時には、スタンバイコンバータ１２２の動作を停止させ、メインコンバータ１１１により全ての回路ブロックに駆動電圧を供給することで、メインコンバータ１１１に影響を与えないようにすることが考えられる。
【００２５】
しかしながら、この場合は、テレビジョン受像機が通常動作状態からスタンバイ状態に移行するタイミングで、スタンバイ回路ブロック２０２に供給する駆動電圧をメインコンバータ１１１からスタンバイコンバータ１２２に切り替える必要がある。すると、そのタイミングで駆動電圧が一時的に低下してマイコン２０２ａが誤動作する恐れがあった。
【００２６】
【課題を解決するための手段】
本発明は上記したような点を鑑みてなされたものであり、電子機器の各回路ブロックに対して駆動電圧を供給する主電源部と、電子機器の所定の回路ブロック部に対して駆動電圧を供給する副電源部と、主電源部の出力電圧を副電源部の出力線路に対して供給する供給手段とを備える。そして、主電源部が動作状態とされる時は副電源部の動作が線形動作となるようにした。
【００２７】
このような本発明によれば、主電源部の出力電圧を副電源部の出力線路に対して供給する供給手段を設け、主電源部が動作状態にある時は主電源部の出力電圧を副電源部の出力電圧に供給すると、主電源部が動作状態の時は副電源部にかかる負荷が無負荷状態となり、副電源部の動作が線形動作となる。
【００２８】
また本発明は、電子機器の回路ブロックに対して駆動電圧を供給する主電源部と、電子機器の所定の回路ブロック部に対して駆動電圧を供給する副電源部と、電子機器の動作遷移時、主電源部と上記副電源部を、所要期間、ともに動作状態となるように制御する制御手段とを備えるようにした。
【００２９】
このような本発明によれば、電子機器の動作状態が待機状態から通常動作状態、或いは通常動作状態から待機状態に遷移する時は、主電源部と副電源部が共に動作状態となる期間を設けることで、制御手段に供給される駆動電圧の連続性を確保することが可能になる。
【００３０】
【発明の実施の形態】
以下、本発明の電源装置の実施の形態について説明する。
図１は本発明の実施の形態とされる電源装置の構成を示した図である。
この図１に示す電源装置は、ＡＣコンセント１から供給された商用電源電圧（ＡＣ）がヒューズ２、主電源スイッチ３及びラインフィルタ４を介してブリッジ型の整流回路５に供給される。そして、整流回路５の整流出力が平滑用のコンデンサＣで直流電圧に平坦化されて、主電源部とされるメインスイッチングコンバータ（以下、「メインコンバータ」という）６に入力される。
【００３１】
メインコンバータ６は、例えばフライバック方式のスイッチコンバータとされ、図示していないが絶縁トランスやスイッチング素子及びスイッチング素子を制御する制御回路等を備えて構成される。
この場合、図示していない絶縁トランスの一次側巻線に流れる電流はスイッチング素子によって断続制御される。そして、その断続された一次電流によって絶縁トランスの二次側巻線に交番電圧が誘起されて出力される。
スイッチングコンバータ６の出力は、ダイオード及び平滑コンデンサから成る整流平滑回路７ａ，７ｂにより平坦化されて、例えばテレビジョン受像機等の電子機器の各回路ブロックに駆動電圧Ｖm1，Ｖm2として供給される。
また、整流平滑回路７ａの出力の一部は、アンプ８及びホトカプラ９を介してメインコンバータ６の制御回路にフィードバックされる。これにより、スイッチングコンバータ６の出力が電子機器の負荷に関わらず一定の電圧となるようにスイッチング素子のオン／オフ比がコントロールするようにしている。
【００３２】
また、商用電源電圧はラインフィルタ４を介して、スタンバイ用の整流平滑回路１０にも入力され、スタンバイ用の整流平滑回路１０から出力される直流電圧が副電源部とされるスタンバイコンバータ１１に入力される。
スタンバイコンバータ１１は、例えば絶縁トランス３１、スイッチング素子３２及びスイッチング素子３２を制御する制御回路３３によって構成される。
この場合、絶縁トランス３１の一次側巻線を流れる電流が、スイッチング素子３２によって断続制御され、絶縁トランス３１の二次側巻線に交番電圧が誘起される。
制御回路３３は、自励型または他励型の何れによっても構成することができ、通常は適正なスイッチングパルスを出力するＩＣ回路によって形成されている。
【００３３】
またスタンバイコンバータ１１は、スイッチング素子３２におけるスイッチング損失が最小となるように、絶縁トランス３１の巻線比や、制御回路３３から出力されるスイッチングパルスのパルス周期やパルス幅が設定されている。
例えば、スイッチング素子３２は、スイッチング損失が最小となるように、その飽和電圧レベルまで十分駆動できるようにされている。
なお、スタンバイコンバータ１１をＰＷＭ制御方式のフライバックコンバータにより構成する場合は、汎用ＩＣを用いて簡単に構成することが可能である。
【００３４】
スタンバイコンバータ１１の出力は、整流平滑回路１２により平坦化されてテレビジョン受像機のスタンバイ回路ブロック２２に駆動電圧Ｖｓとして供給される。
【００３５】
リレー回路１３は、リレーＲＹ、スイッチＳ及びスイッチング素子Ｑ1によって構成される。スイッチＳはラインフィルタ４と整流回路５との間に設けられ、マイコン２２ａによってスイッチング素子Ｑ1がオン／オフされることで、リレーＲＹによってスイッチＳを開閉することができる。
【００３６】
マイコン２２ａは、図示していないリモートコマンダ（以下、「リモコン」という）等の操作によりテレビジョン受像機が、通常動作状態からスタンバイ状態に、或いはスタンバイ状態から通常動作状態に遷移する際に、電源装置の動作を制御する機能を有する。
マイコン２２ａは例えばテレビジョン受像機のマイコンを利用して構成しても、またテレビジョン受像機のマイコンとは別に、専用のマイコンを設けて構成しても良い。
【００３７】
通常動作時は、リモコン等によって操作されたマイコン２２ａが、スイッチＳを閉じるように制御することでメインコンバータ６に電圧が供給される。
一方、スタンバイ時は、マイコン２２ａがスイッチＳを開放するように制御することで、メインコンバータ６への電圧の供給が遮断される。これにより、スタンバイ時は、メインコンバータ６から主要な回路ブロック２１に供給される駆動電圧Ｖm1，Ｖm2が停止される。
【００３８】
メインコンバータ６の出力電圧ラインと、スタンバイコンバータ１１の出力電圧ラインとの間には、メインコンバータ６の出力電圧をスタンバイコンバータ１１側に供給する供給手段であるダイオード１４が接続されている。
この場合、ダイオード１４のアノードは、メインコンバータ６の出力電圧ラインに接続され、そのカソードはスタンバイコンバータ１１の出力電圧ラインに接続される。つまり、ダイオード１４は、メインコンバータ６の出力電圧Ｖm2の一部を、スタンバイコンバータ１１の出力電圧ラインに供給できるように接続されている。
このため、メインコンバータ６の出力電圧Ｖm2は、スタンバイコンバータ１１の出力電圧Ｖｓにダイオード１４の電圧降下分を加算したレベルより少し高い電圧レベルとなるように設定されている。
【００３９】
つまり、このような本実施の形態の電源装置では、スタンバイ時は、スタンバイコンバータ１１の出力電圧Ｖｓによってスタンバイ回路ブロック２２を駆動し、通常動作時はメインコンバータ６の出力電圧Ｖm2によってスタンバイ回路ブロック２２を駆動するようにしている。
【００４０】
ここで、上記図１に示した電源装置のスタンバイコンバータ１１の動作を図２及び図３を参照しながら説明する。
図２は本実施の形態とされる電源装置がスタンバイ状態とされる時のスタンバイコンバータ１１の動作を示した図、図３は電源装置が通常動作状態とされる時のスタンバイコンバータ１１の動作を示した図である。
スタンバイ時は、スイッチング素子３２のドレイン−ソース間電圧ＶDSが、図２（ａ）に示すように、スイッチング素子３２がオンとなる期間Ｔ1において、スイッチング素子３２のほぼ飽和電圧レベルまで変動している。またこの時、絶縁トランス３１及びスイッチング素子３２には、図２（ｂ）に示すような電流ＩDが流れることになる。
【００４１】
一方、通常動作時は、スタンバイコンバータ１１は動作しているものの、スタンバイコンバータ１１の負荷とされるスタンバイ回路ブロックには、ダイオード１４を介してメインコンバータ６からの出力電圧Ｖm2が供給される。
また、同時に整流平滑回路１２の平滑コンデンサがメインコンバータ６の出力によって充電されることから、整流平滑回路１２の整流ダイオードは遮断され、スタンバイコンバータ１１は無負荷状態になっている。
この場合、スイッチング素子３２のドレイン−ソース間電圧ＶDSは、図３（ａ）に示すように、スイッチング素子３２がオンとなる期間Ｔ１において僅かに、そのレベルが低下するもののほぼ線形動作となる。
また、絶縁トランス３１及びスイッチング素子３２を流れる電流ＩDも、図３（ｂ）に示すように、スイッチング素子３２がオンとなる期間Ｔ1において僅かに流れるだけでほぼ線形動作となっている。
これは、絶縁トランス３１の二次側負荷が無負荷状態となっていることで、絶縁トランス３１の一次巻線を流れる一次電流が抑制され、スイッチング素子３２のドレイン−ソース間電圧ＶDSが飽和電圧領域まで達しないことによるものとされる。
【００４２】
このように、本実施の形態とされる電源装置は、通常動作時も、スタンバイコンバータ１１は動作しているが、メインコンバータ６をスタンバイ電源部として機能させることで、スタンバイコンバータ１１のスイッチング素子３２がオン／オフ制御とならない線形動作となるようにしている。
これにより、通常動作時は、スタンバイコンバータ１１のスイッチング動作によりノイズが発生しないものとすることができる。
従って、本実施の形態とされる電源装置をテレビジョン受像機等の電子機器に適用しても画面ノイズの発生を抑えることができる。
【００４３】
またこの場合は、スタンバイコンバータ１１にスナバ回路やインダクタンス成分を追加して、ソフトスイッチング動作とする必要もないので、追加回路により電力損失が発生するということもない。
【００４４】
さらに、スタンバイコンバータ１１は、通常動作時も動作状態とされることから、例えばテレビジョン受像機の動作状態が遷移する時でも、スタンバイ回路ブロック２２に供給される駆動電圧の連続性は確保されるものとなっている。
よって、テレビジョン受像機の遷移動作時に、スタンバイ回路ブロック２２へ供給される駆動電圧が低下することなく、マイコン２２ａの誤動作によってテレビジョン受像機の通常動作が維持できなくなる等の不具合を防止することができる。
【００４５】
次に、本発明の第２の実施の形態とされる電源装置の構成を図４に示す。
なお、図１と同一部位には同一番号を付し、詳細な説明は省略する。
この図４に示す電源装置は、上記図１に示した電源装置と同様、メインコンバータ６の出力電圧Ｖm2の一部をダイオード１４を介してスタンバイ回路ブロックに駆動電圧Ｖccとして供給できるように構成されている。
また、スタンバイコンバータ１１の出力電圧Ｖｓは、ダイオード１７を介してマイコン２２ａに駆動電圧Ｖccとして供給される。
【００４６】
レベル検出部１６は、メインコンバータ６から得られる出力電圧Ｖm2、及びスタンバイコンバータ１１から得られる出力電圧Ｖｓの電圧レベルの検出を行っている。例えばレベル検出部１６は、入力される電圧Ｖｓ，Ｖm2がスタンバイ回路ブロック２２を適正に動作させることができる電圧レベルに達したか否かを検出している。
【００４７】
マイコン２２ａは、リモートコマンダ等の操作によりメインコンバータ６の動作を制御するための制御信号Ｓ１と、スタンバイコンバータ１１の動作を制御するための制御信号Ｓ２を出力できるように構成される。
マイコン２２ａからの制御信号Ｓ１はリレー回路１３に供給され、制御信号Ｓ２はフォトカプラ１５に供給される。
フォトカプラ１５は、マイコン２２ａからの制御信号Ｓ２に基づいて、スタンバイコンバータ１１の動作をオン／オフする。
例えばスタンバイコンバータ１１に設けられている制御回路３３（図１参照）をオン／オフするようにされる。
【００４８】
以下、図４に示した電源装置の動作を図５に示すタイミング図を参照しながら説明する。
先ず、スタンバイ時は、図５（ａ）に示す制御信号Ｓ１がメインコンバータ６を停止させる信号レベル、例えばローレベル（０レベル）となり、図５（ｂ）に示す制御信号Ｓ２のレベルがスタンバイコンバータ１１を動作させるレベル、例えばハイレベルになる。
【００４９】
ここで、例えばリモコン等からテレビジョン受像機をスタンバイ状態から通常動作状態に移行させる指示がマイコン２２ａに与えられたとする。
すると、マイコン２２ａは、その時点ｔ1で、図５（ａ）に示すように、制御信号Ｓ１のレベルをローレベルからハイレベルにする。
これにより、図５（ｃ）に示すように、メインコンバータ６がスイッチング動作を開始し、図５（ｆ）に示すメインコンバータ６の出力電圧Ｖm2のレベルが上昇していくことになる。
【００５０】
この時、レベル検出部１６が出力電圧Ｖm2のレベル検出を行い、その検出結果をマイコン２２ａに供給することで、マイコン２２ａは、出力電圧Ｖm2の電圧レベルが、所定の閾値レベルＶth2を越えた時点ｔ2で、図５（ｂ）に示すように、制御信号Ｓ２のレベルをハイレベルからローレベルに切り替えるようにしている。これにより、図５（ｄ）に示すように、スタンバイコンバータ１１はスイッチング動作を停止し、図５（ｅ）に示すように、スタンバイコンバータ１１からの出力電圧Ｖｓのレベルが低下していくことになる。
【００５１】
一方、リモコン等の操作によりテレビジョン受像機を通常動作状態からスタンバイ状態に移行させる指示がマイコン２２ａに与えられた場合、マイコン２２ａは、その時点ｔ3で、図５（ｂ）に示すように制御信号Ｓ２のレベルをローレベルからハイレベルにして、停止中のスタンバイコンバータ１１を動作状態にする。そして、スタンバイコンバータ１１の出力電圧Ｖｓが所定の閾値レベルＶth1を越えた時点ｔ4で、マイコン２２ａは制御信号Ｓ１のレベルをハイレベルからローレベルに切り替えてメインコンバータ６の動作を停止させるようする。
【００５２】
このような構成とされる本実施の形態の電源装置においては、通常動作時はメインコンバータ６からマイコン２２ａを含むスタンバイ回路ブロックに駆動電圧が供給されている。
即ち、通常動作時は、スタンバイコンバータ１１の動作が停止状態となっているため、スタンバイコンバータ１１に起因したノイズが、テレビジョン受像機の画面に生じることがない。
また、通常動作時、スタンバイコンバータ１１の動作が停止状態となっているため、図１に示した電源装置に比べて、通常動作時の電力消費が少なくなるという利点もある。
【００５３】
また、本実施の形態の電源装置は、テレビジョン受像機が通常動作状態からスタンバイ状態に移行する時は、スタンバイコンバータ１１の出力電圧Ｖｓが所定の電圧レベルに達するまで、メインコンバータ６が動作状態とされる。
また、テレビジョン受像機がスタンバイ状態から通常動作状態に移行する際には、メインコンバータ６の出力電圧Ｖm2が所定の電圧レベルに達するまで、スタンバイコンバータ１１が動作状態になっている。
つまり、テレビジョン受像機の動作状態の遷移期間では、メイン電源部とスタンバイ電源部を共に動作状態となるようにしている。
【００５４】
従って、このような本実施の形態の電源装置によれば、マイコン２２ａに供給される駆動電圧Ｖccを、図５（ｇ）に示すように、常に一定レベルとすることができる。
つまり、マイコン２２ａに供給される駆動電圧Ｖccの連続性を確保することができるため、この場合もテレビジョン受像機の遷移動作時に、スタンバイ回路ブロックへ供給される駆動電圧が低下することなく、マイコン２２ａの誤動作を防止することができる。
【００５５】
なお、上記した図５に示した電源装置の構成はあくまでも一例であり、本発明は、例えばテレビジョン受像機の遷移動作時に、動作を開始する一方のコンバータが所定の電圧レベルに達するまで、他方のコンバータを動作状態となるようにする構成であれば良いものとされる。
例えば、遷移動作時に動作を停止するコンバータの停止タイミングを、遷移時に動作を開始するコンバータの開始タイミングより遅らせるような構成であっても実現することができるものである。
【００５６】
なお、本実施の形態において示したメインコンバータ６及びスタンバイコンバータ１１の構成はあくまでも一例であり、上記した構成に限定されるものでない。
また、本実施の形態では電子機器としてテレビジョン受像機を例に挙げて説明したが、本発明は家電用や産業用の各種電子機器に適用することができることは言うまでもない。
【００５７】
【発明の効果】
以上説明したように、本発明の電源装置によれば、通常動作時は副電源部からノイズが発生しないものとすることができるため、例えば本発明の電源装置をテビジョン受像機等の電子機器に適用した場合でも画面ノイズの発生を抑制することが可能になる。
【００５８】
また、電子機器の動作状態が通常動作状態から待機状態、或いは待機状態から通常動作状態に遷移する場合でも制御部に供給される駆動電圧の連続性を確保することができるため、例えば駆動電圧の低下により、電子機器の動作に不具合が生じるといったこともない。
【図面の簡単な説明】
【図１】本発明の実施の形態とされる電子機器の電源装置の構成を示した図である。
【図２】図１に示した電源装置に備えられているスタンバイコンバータのスタンバイ時の動作波形図である。
【図３】図１に示した電源装置に備えられているスタンバイコンバータの通常動作時（無負荷時）の動作波形図である。
【図４】本発明の第２の実施の形態とされる電子機器の電源装置の構成を示した図である。
【図５】図５に示した電源装置の各部の動作波形を示した図である。
【図６】従来の広範囲の負荷に対応した電源装置の構成を示した図である。
【図７】従来の商用トランス方式の電源装置の構成を示した図である。
【図８】従来のコンバータ方式の電源装置の構成を示した図である。
【図９】従来のコンバータ方式の電源装置の他の構成を示した図である。
【図１０】従来の商用トランス方式の電源装置とコンバータ方式の電源装置において発生するスタンバイ時の消費電力の特性を示した図である。
【図１１】従来のコンバータ方式の電源装置に備えられているスタンバイコンバータの動作説明図である。
【符号の説明】
１  ＡＣコンセント、２  ヒューズ、３  主電源スイッチ、４  ラインフィルタ、５  整流回路、６  メインコンバータ、７ａ  ７ｂ  １２  整流平滑回路、９  １５  フォトカプラ、１０  スタンバイ整流平滑回路、１１  スタンバイコンバータ、１２  整流平滑回路、１３  リレー回路、１４  １７  ダイオード、１６  レベル検出部、２２  スタンバイ回路ブロック、２２ａ  マイコン、３１絶縁トランス、３２  スイッチング素子、３３  制御回路
【図１】
0004072664.tif 000002
【図２】
0004072664.tif 000003
【図３】
0004072664.tif 000004
【図４】
0004072664.tif 000005
【図５】
0004072664.tif 000006
【図６】
0004072664.tif 000007
【図７】
0004072664.tif 000008
【図８】
0004072664.tif 000009
【図９】
0004072664.tif 000010
【図１０】
0004072664.tif 000011
【図１１】
0004072664.tif 000012